(57)【要約】【課題】冷蔵室の前面開口を開閉する扉の内側に棚部を設け、この棚部の下側には上面開口の小物ポケットを設け、この小物ポケットの上面開口がこの棚部によって閉塞される冷蔵庫がある。小物ポケットの上面開口がこの棚部によって閉塞されているため、扉の開閉動作によってこの小物が飛び出ることは防止できる点では優れている。しかし小物を取り出す場合や収納する場合には、小物ポケットを上方の棚部から露出させなければならないため、回動構造にする等の構造上の複雑さが伴う。本発明は、簡単な構造でもって、特に小袋入り調味料の安定な収納の維持と、収納と取り出しがし易い状態で収納できるものを提供する。【解決手段】冷蔵室の前面開口を開閉する扉の内側に設けた物品載置棚に小袋入り調味料を立てて収納する収納部を形成したこと。【選択図】      図５
2005016900.tif 000002
【特許請求の範囲】
【請求項１】
冷蔵室の前面開口を開閉する扉の内側に設けた物品載置棚に調味料小袋を立てて収納する収納部を形成したことを特徴とする冷蔵庫。
【請求項２】
冷蔵室の前面開口を開閉する扉の内側に設けた物品載置棚の物品収納部の前記冷蔵室側に寄った部分にこの物品収納部と仕切り壁で区画して調味料小袋を立てて収納する収納部を形成したことを特徴とする冷蔵庫。
【請求項３】
前記調味料小袋を立てて収納する収納部は前記物品載置棚の横幅方向に長く形成され、前記調味料小袋の形態に適用可能なるようこの収納部を仕切り壁によって左右に複数の収納部に仕切ったことを特徴とする請求項１又は２に記載の冷蔵庫。
【発明の詳細な説明】
【０００１】
【発明の属する技術分野】
本発明は、冷蔵室の前面開口を開閉する扉の内側に物品載置棚を設けた冷蔵庫に関する。
【０００２】
【従来の技術】
冷蔵室の前面開口を開閉する扉の内側に棚部を設け、この棚部の下側には上面開口の小物ポケットを設け、この小物ポケットの上面開口がこの棚部によって閉塞されるように構成した冷蔵庫がある（例えば、特許文献１参照）。
【０００３】
【特許文献１】
特開２０００−１０５０６６号公報（第３〜６頁、各図）
【０００４】
【発明が解決しようとする課題】
特許文献１のものは、小物ポケットに収納した弁当用の調味料ケースや一回で使い切るマヨネーズ等の調味料等の小物を収納する専用部分を設けた点で便利であり、小物ポケットの上面開口がこの棚部によって閉塞されているため、扉の開閉動作によってこの小物が飛び出ることは防止できる点では優れている。
しかし一方では、この小物を取り出す場合や収納する場合には、この小物ポケットを上方の棚部から露出させなければならないため、回動構造にする等の構造上の複雑さが伴う。
【０００５】
本発明は、特許文献１のもののような構造に比して簡単であって、しかも、小物のうちの特に調味料小袋の収納と取り出しがし易い状態で収納できる構成の冷蔵庫を提供するものである。
この調味料小袋は、薄いシートを筒状に形成したもの、重ね合わせた二枚のシート相互、又は一枚のシートを半分に重ね折りした状態のもの等で、周縁部などの必要部に熱溶着シールを施して内部に、しょうゆ、ソース、粉末状唐辛子、粉末状コショウ、マヨネーズ等のように簡便使用に適した液体状、粘性状、粉末状又は顆粒状等の調味料を密封した、所謂、薄平たい小袋状容器入りのものである。
【０００６】
【課題を解決するための手段】
本発明の冷蔵庫は、冷蔵室の前面開口を開閉する扉の内側に設けた物品載置棚に調味料小袋を立てて収納する収納部を形成したことを特徴とする。
【０００７】
これによって、収納部に収納された調味料小袋は、収納部に寝かせた収納に比して、その上端が収納部から突出した状態に保持できれば取り出しし易くなり、使用上便利である。
この場合、収納部の厚さを薄くし過ぎれば調味料小袋を収納し難くなり、あまり厚くすれば調味料小袋が横に寝た状態となって取り出し難くなるので、この辺を考慮して収納部の厚さを小袋入り調味の２乃至４個が重なって収納できる厚さにすれば適当となる。
【０００８】
また、本発明の冷蔵庫は、冷蔵室の前面開口を開閉する扉の内側に設けた物品載置棚の物品収納部の前記冷蔵室側に寄った部分にこの物品収納部と仕切り壁で区画して調味料小袋を立てて収納する収納部を形成したことを特徴とする。
【０００９】
このため、上記の効果に加えて、物品載置棚の物品収納部に背の高い物品が収納された状態で、調味料小袋を収納部から取り出すとき、この背の高い物品を持ち上げてから調味料小袋を収納部から取り出す必要がなく、調味料小袋の収納と取り出しが容易となる。
【００１０】
また、本発明の冷蔵庫は、調味料小袋を立てて収納する収納部は前記物品載置棚の横幅方向に長く形成され、前記調味料小袋の形態に適用可能なるようこの収納部を仕切り壁によって左右に複数の収納部に仕切ったことを特徴とする。
【００１１】
このため、この仕切りによって調味料小袋が横に倒れるのを防止でき、冷蔵室の扉の開閉によっても調味料小袋が立った収納状態を維持できる。
このため、個々の収納部の横幅は、調味料小袋の種々の形態のうちの多数形態の横幅のものに適用できる寸法に区画することにより、使用に便利なものとなる。
【００１２】
【発明の実施の形態】
次に、本発明の実施の形態について説明する。
各図は本発明の実施形態を示しており、図１は本発明冷蔵庫の縦断側面図、図２は本発明に係る冷蔵庫本体の正面図、図３は本発明冷蔵庫の冷蔵室部分の開扉状態の斜視図、図４は本発明冷蔵庫の扉ポケット部の縦断側面図、図５は本発明冷蔵庫の扉ポケット部の他の実施形態を示す縦断側面図、図６は本発明冷蔵庫の扉ポケット部の正面視での説明図である。
【００１３】
本発明の冷却貯蔵庫を図に基づき説明する。
ここで、１は本発明の冷却貯蔵庫の一つである冷蔵庫であり、全面開口の本体２内を区画して複数の貯蔵室を形成し、これら各貯蔵室の前面は扉で開閉できる構成である。
冷蔵庫本体２は、外箱（外壁板）２Ａと内箱（内壁板）２Ｂとの間に発泡断熱材２Ｃを充填した断熱構造である。
冷蔵庫本体２内には、上から冷蔵室３、野菜室４、冷凍室５（上冷凍室６Ａと下冷凍室６Ｂからなる）、上冷凍室６Ａに併設した製氷室７が区画されて設けられ、冷蔵室３内の底部にはその上方の冷蔵室３と区画板（区画壁）８にて区画された特定低温室９が設けられている。
【００１４】
冷蔵室３の前面開口は、冷蔵庫本体２の一側部にヒンジ装置にて横方向に回動して開閉される回動式の冷蔵室扉１０にて閉塞される。
冷蔵室３内には冷蔵室３の側壁に形成した棚受け４２に載置した複数段の棚４１が設けられている。
野菜室４の前面開口は、野菜室４内に設けた左右のレールとローラによる支持装置２１によって前後方向へ引き出し可能に支持した上面開口の野菜容器１５と共に前方へ引き出される引き出し式扉１１にて閉塞されている。
上冷凍室６Ａと下冷凍室６Ｂはそれぞれ野菜室４と同様に、冷凍室内に設けた左右のレールに対して、それぞれ前後方向へ引き出し可能に支持した容器１６、１７と共に前方へ引き出される引き出し式扉１２、１３にて閉塞されている。
【００１５】
製氷室７内には自動製氷機１８と貯氷箱１９が設けられ、特定低温室９に併設された冷蔵室３内の小室には、この自動製氷機１８へ供給する製氷用水を貯める給水容器２０が収納されている。
製氷用水は給水容器２０からポンプ６０によって吸い上げられて給水パイプ６１を介して自動製氷機１８の製氷皿２２へ供給される。
【００１６】
２４は冷凍システムの冷媒の圧縮機、２５は冷凍システムの冷媒の凝縮器である。
２６は凝縮器２５の熱によって後述の除霜水を蒸発させるための蒸発皿であり、凝縮器２５上に載置して冷蔵庫本体２の前面下部から引き出し自在である。
圧縮機２４、凝縮器２５、蒸発皿２６は、冷蔵庫本体２の下部に設けた機械室２８に設置されている。
２９、３０は冷凍システムの冷媒の蒸発器（冷却器）である。
３１は冷凍室用冷却器である第１蒸発器（冷却器）２９で冷却した冷気を上冷凍室６Ａ、下冷凍室６Ｂ及び製氷室へ循環する第１送風機である。
３２は冷蔵室用冷却器である第２蒸発器（冷却器）３０で冷却した冷気を冷蔵室３、野菜室４及び特定低温室９へ循環する第２送風機である。
３３は第１蒸発器（冷却器）２９の除霜用ガラス管ヒータ、３４は、第２蒸発器（冷却器）３０の除霜用ガラス管ヒータである。
第１蒸発器（冷却器）２９及び第２蒸発器（冷却器）３０の除霜水は排水管を通って蒸発皿２６へ導かれてそこで蒸発する。
【００１７】
３５は第２蒸発器（冷却器）３０で冷却された冷気が第２送風機３２から導かれる冷気ダクトであり、冷蔵室３の上壁４５上に幅広く配置されその前端は冷蔵室３の前面開口部の上面に形成した冷気吹き出し口３６へ連通している。
この冷気吹き出し口３６から吹き出す冷気は、冷蔵室３の前面開口部を矢印のように上から下へ流れる冷気カーテン３７を形成する。
第１蒸発器（冷却器）２９で冷却した冷気と第２蒸発器（冷却器）３０で冷却した冷気は、夫々第１送風機３１及び第２送風機３２によって矢印のように循環して各室を所定温度に冷却する。
【００１８】
第２蒸発器（冷却器）３０で冷却した冷気を第２送風機３２によって冷蔵室３と野菜室４とに循環させる冷気循環経路の形成に関し、冷蔵室３の背面部には左右両側に冷気通路４３Ａ、４３Ｂを形成し、この左右配置の冷気通路４３Ａ、４３Ｂ間には第２蒸発器（冷却器）３０の下側へ連通した冷気帰還通路４４が形成されている。
【００１９】
第２蒸発器（冷却器）３０で冷却した冷気は、第２送風機３２によって冷蔵室３と野菜室４とに循環される。
その経路は、第２送風機３２を通過した冷気は、一部が冷気ダクト３５を通って冷気吹き出し口３６から吹き出す。
第２送風機３２を通過した冷気の他の部分は、冷蔵室３の背面板４０の裏側の左右の冷気通路４３Ａ、４３Ｂを通って、冷蔵室３の背面板４０に形成した冷気吹き出し口３９から冷蔵室３へ吹き出し、冷気通路４３Ａ、４３Ｂを更に下方へ流れつつ一部分の冷気が冷気吹き出し口３９Ａから特定低温室９へ吹き出す。
【００２０】
左右の冷気通路４３Ａ、４３Ｂを更に下方へ流れた冷気は、冷気出口５０から冷蔵室３と野菜室４との間に形成した冷気通路５１へ供給される。
冷気通路５１は、冷蔵室３と野菜室４との間の仕切り壁５２と野菜室４の天井板５３との間に形成される。
仕切り壁５２は冷蔵室３の底壁を構成しており、野菜室４の天井板５３は、野菜容器１５の上面開口を略塞ぐ位置に配置されており、野菜室４から前方へ取り外し可能なるよう、野菜室４の左右壁及び又は仕切り壁５２に支持している。
冷蔵室３と特定低温室９を冷却した冷気の冷気の一部は、仕切り壁５２に形成した吸い込み口５６から冷気通路５１へ流入する。
野菜容器１５は前方へ引き出し自在であるため、野菜容器１５は野菜室４内へ収納されたとき、野菜室４の天井板５３によって野菜容器１５の上面開口は天井板５３によって覆われた状態である。
【００２１】
冷気通路５１へ供給された冷気は、冷気通路５１を前方へ流れて前端の出口５４から野菜室４へ流下し、野菜容器１５と扉１１との間に形成された空間から野菜容器１５の周囲に形成された空間を通って、野菜室４の背面に形成した冷気吸い込み口５５から吸い込まれる。
【００２２】
冷蔵室３の裏側の左右冷気通路４３Ａ、４３Ｂの間には、背面板４０と本体２との間に冷気帰還通路４４が形成されているため、野菜室４の冷気は冷気吸い込み口５５から吸い込まれて冷気帰還通路４４へ流れ、第２蒸発器（冷却器）３０の下側へ流入して、再び第２蒸発器（冷却器）３０によって冷却される循環をする。
【００２３】
このような構成において、各室の温度は、冷蔵室３が約３〜４℃、野菜室４が約３〜６℃に保たれ、冷凍室５、即ち上冷凍室６Ａと下冷凍室６Ｂと、更に製氷室７が約−１８℃〜−２０℃である。
また、冷蔵室扉１０の内側に設けた貯蔵棚３８上は５〜８℃である。
特定低温室９は、０℃よりも高い約１℃のチルド室であったり、０℃よりも低く食品の凍結温度よりも高い約０〜−１℃の氷温室であったり、また、食品の表面に薄い氷の層が形成される程度の約−４℃の部分凍結室であったりする。
このように特定低温室９は、食品を特定の温度領域内で冷却保存するためのものであり、他の室に比して厳しい温度制御が要求される。
【００２４】
冷蔵室扉１０は、外板１０Ａと内板１０Ｂとの間に発泡性断熱材１０Ｃが充填された断熱構造をなし、内板１０Ｂの左右両側部には内板１０Ｂと一体成形にて又は別部材にて縦方向に延びた側壁１０Ｄ、１０Ｅが形成されている。
側壁１０Ｄ、１０Ｅ間には、複数段にポケットと称する物品載置棚３８、３８Ａ、３８Ｂ、３８Ｃ、３８Ｄが形成され、その中の一つ又は複数に調味料小袋４５を立てて収納する収納部４６を形成している。
【００２５】
調味料小袋４５は、薄い合成樹脂製シートを筒状に形成したもの、二枚の合成樹脂製シートを重ね合わせたもの、又は一枚の合成樹脂製シートを半分に重ね折りした状態のもの等であって、その周縁部などの必要部に熱溶着シールを施して内部に液体状、粘性状、粉末状又は顆粒状等の調味料を密封した、所謂、薄平たい小袋状容器入りのものである。
このような調味料小袋４５は、しょうゆ、ソース、粉末状唐辛子、粉末状コショウ、マヨネーズ等のように一回で使い切るような簡便使用に適した量を密封した形態である。
【００２６】
このような調味料小袋４５は、内容物が液体状のものは全体的に軟らかくなり、立った状態維持が困難であるが、これを立てた状態で収納すれば使用時の取り出しがし易くなる。
本発明はこれを達成できる構成を提供するものである。
調味料小袋４５を立てて収納する収納部４６は、ポケット３８、３８Ａ、３８Ｂ、３８Ｃ、３８Ｄの使用し易い部分に形成すればよく、その一つの形態として、図では最下段のポケット３８に形成したものを示している。
ポケット３８は、内板１０Ｂ寄りに略縦長直方形状の紙パックに牛乳や果汁飲料等を密封した縦長物品４７の収納部４８を形成し、この収納部４８の冷蔵室３側には更に背の高いペットボトル入り飲料のように背高物品４９の収納部５７を、収納部４８と仕切り壁５８で区画した状態に形成している。
【００２７】
ポケット３８の冷蔵室３側には、背高物品４９の収納部５７と仕切り壁５９で区画した状態に、調味料小袋４５の収納部４６が形成されている。
収納部４６は、収納部４６の厚さ、即ち収納部４６の厚さ方向にある前後壁５９、５９Ａ間の間隔Ｔは、極端に薄い調味料小袋４５を除いて、通常の調味料小袋４５の一つ又は複数が横に寝た状態ではなく、図４に示すように立てて収納される寸法に設定されている。
【００２８】
収納部４６の厚さＴを薄くし過ぎれば、例えば薄い一個の調味料小袋４５が立てて収納できる寸法にすれば収納がし難くなり、また、あまり厚くすれば調味料小袋４５が横に寝た状態となって取り出し難くなる。
このため、この辺を考慮して収納部４６の厚さＴは、調味料小袋４５の２乃至４個が重なって収納できる厚さが適当である。
この場合、収納部４６の深さは、前後壁５９、５９Ａの低い後壁５９の高さで決まるが、収納部４６の深さは、図４に示すように収納部４６に収納された調味料小袋４５の上端部が収納部４６の上方へ若干突出するような深さに構成され、それによって調味料小袋４５が取り出し易くなる。
このため、その隣の収納部５７に収納される物品４９の下敷き状態とならないため、収納部５７に収納される物品４９を持ち上げて調味料小袋４５を取り出す必要もない。
【００２９】
図５には物品載置棚であるポケット３８の最も冷蔵室３側に寄った位置に調味料小袋４５の収納部４６を形成した別の形態を示している。
この場合、収納部４６は、収納部５７の冷蔵室側の壁５９と対抗する更に冷蔵室３側に寄った壁５９Ａとの間に形成され、収納部４６の深さは、前後壁５９、５９Ａの低い後壁５９Ａの高さで決まるが、収納部４６に収納された調味料小袋４５の上端部が収納部４６の上方へ若干突出するような深さに構成されるように、収納部５７の冷蔵室側の壁５９よりも収納部４６の前壁、即ち冷蔵室側の壁５９Ａが低く、それによって調味料小袋４５が取り出し易くなる。
【００３０】
図４及び図５の形態も、各収納部４６、４８、５７はポケット３８の形成部材によって合成樹脂の一体成形で形成される。
そして、調味料小袋４５の収納部４６は図６に示したように、収納部４６を略ポケット３８の左右幅に渡るように横方向に長く形成した場合には、収納される調味料小袋４５が横に倒れる虞があるため、図６に示すように収納部４６を仕切り壁７０によって左右に複数の収納部４６に仕切ることにより、調味料小袋４５が横に倒れるのを防止できる。
この場合、個々の収納部４６の横幅は、調味料小袋４５が略正方形状のものや、長方形状のものや、スティック形状のもの等、種々の形態があるが、一般に出回っている調味料小袋４５の多数形態の横幅のものに適用できる寸法に区画することにより、使用に便利なものとなる。
【００３１】
本発明は、上記実施形態に限定されず、他の構成の観音開き式の貯蔵庫にも適用でき、本発明の技術的範囲を逸脱しない限り種種の変更が考えられ、それに係る種種の実施形態を包含するものである。
【００３２】
【発明の効果】
本発明によって、収納部に収納された調味料小袋は、収納部に寝かせた収納に比して、その上端が収納部から突出した状態に保持できれば取り出しし易くなり、使用上便利である。
この場合、収納部の厚さを薄くし過ぎれば調味料小袋を収納し難くなり、あまり厚くすれば調味料小袋が横に寝た状態となって取り出し難くなるので、この辺を考慮して収納部の厚さを小袋入り調味の２乃至４個が重なって収納できる厚さにすれば適当となる。
【００３３】
請求項２の発明では、上記の効果に加えて、物品載置棚の物品収納部に背の高い物品が収納された状態で、調味料小袋を収納部から取り出すとき、この背の高い物品を持ち上げてから調味料小袋を収納部から取り出す必要がなく、調味料小袋の収納と取り出しが容易となる。
【００３４】
請求項３の発明では、この仕切りによって調味料小袋が横に倒れるのを防止でき、冷蔵室の扉の開閉によっても調味料小袋が立った収納状態を維持できる。
このため、個々の収納部の横幅は、調味料小袋の種々の形態のうちの多数形態の横幅のものに適用できる寸法に区画することにより、使用に便利なものとなる。
【図面の簡単な説明】
【図１】本発明冷蔵庫の縦断側面図である。
【図２】本発明に係る冷蔵庫本体の正面図である。
【図３】本発明冷蔵庫の冷蔵室部分の開扉状態の斜視図である。
【図４】本発明冷蔵庫の扉ポケット部の縦断側面図である。
【図５】本発明冷蔵庫の扉ポケット部の他の実施形態を示す縦断側面図である。
【図６】本発明冷蔵庫の扉ポケット部の正面視での説明図である。
【符号の説明】
１・・・冷蔵庫（貯蔵庫）、
２・・・冷蔵庫本体（貯蔵庫本体）、
３・・・冷蔵室、
３８、３８Ａ〜３８Ｄ・・・扉ポケットと称する物品載置棚、
４５・・・調味料小袋、
４６・・・調味料小袋の収納部、
４８、５７・・・物品収納部、
７０・・・調味料小袋の収納部の仕切り壁。
【図１】
2005016900.tif 000003
【図２】
2005016900.tif 000004
【図３】
2005016900.tif 000005
【図４】
2005016900.tif 000006
【図５】
2005016900.tif 000007
【図６】
2005016900.tif 000008